(57)【要約】  デジタルラジオ音声とアナログラジオ音声との切替時における音質変化による違和感を除去したラジオ放送受信装置を提供することを目的とするものである。アナログラジオ音声の信号処理をラジオＤＳＰパラメータを用いて実施するラジオＤＳＰ１１２と、デジタルラジオ音声の信号処理をオーディオＤＳＰパラメータを用いて実施するオーディオＤＳＰ１１５と、デジタルラジオ放送の受信電波の品質に応じて切替信号を出力する制御部１１６と、ラジオＤＳＰ１１２からの出力とオーディオＤＳＰ１１５からの出力とを切り替えるブレンド部１１３とを備え、切替信号に応じて、ブレンド部１１３が出力レベルを一定に保ちながらラジオＤＳＰ１１２からの出力とオーディオＤＳＰ１１５からの出力とを所定時間の間に徐々に切り替える。
2011102144.tif 000002
【特許請求の範囲】
【請求項１】
サイマル放送実施中のデジタルラジオ放送及びアナログラジオ放送に対し、前記デジタルラジオ放送の受信電波の品質に応じて音声出力をそれぞれ前記デジタルラジオ放送に係るデジタルラジオ音声または前記アナログラジオ放送に係るアナログ音声へ音声出力を切り替えるラジオ放送受信装置において、
アナログラジオ音声の信号処理をラジオＤＳＰパラメータを用いて実施するラジオＤＳＰと、デジタルラジオ音声の信号処理をオーディオＤＳＰパラメータを用いて実施するオーディオＤＳＰと、前記デジタルラジオ放送の受信電波の品質に応じて切替信号を出力する制御部と、前記ラジオＤＳＰからの出力と前記オーディオＤＳＰからの出力とを切り替えるブレンド部とを備え、
前記切替信号に応じて、前記ブレンド部が出力レベルを一定に保ちながら前記ラジオＤＳＰからの出力と前記オーディオＤＳＰからの出力とを所定時間の間に徐々に切り替えることを特徴とするラジオ放送受信装置。
【請求項２】
前記オーディオＤＳＰは、前記所定時間の間に、前記ラジオＤＳＰパラメータに基づいて信号処理を実施して現在受信しているアナログラジオ音声の特性にデジタルラジオ音声の特性を近づけることを特徴とする請求項１記載のラジオ放送受信装置。
【請求項３】
前記オーディオＤＳＰが実施する信号処理の時間が前記所定時間の範囲内において任意に設定されることを特徴とする請求項２記載のラジオ放送受信装置。
【請求項４】
前記音声出力を、前記デジタルラジオ音声から前記アナログ音声に切り替える場合、前記オーディオＤＳＰは、前記オーディオＤＳＰが前記切替信号を受信した後の前記所定時間の範囲内において時間の経過に伴って前記ラジオＤＳＰパラメータを徐々に有効にさせることを特徴とする請求項３記載のラジオ放送受信装置。
【請求項５】
前記音声出力を、前記アナログラジオ音声から前記デジタル音声に切り替える場合、前記オーディオＤＳＰは、前記オーディオＤＳＰが前記切替信号を受信した後に前記所定時間の範囲内において、即座に前記ラジオＤＳＰパラメータを適用させることを特徴とする請求項３記載のラジオ放送受信装置。
【請求項６】
前記即座に前記オーディオＤＳＰのパラメータに適用させた後、時間の経過に伴って前記ラジオＤＳＰパラメータを徐々に無効にさせることを特徴とする請求項５記載のラジオ放送受信装置。
【請求項７】
サイマル放送実施中のデジタルラジオ放送及びアナログラジオ放送に対し、前記デジタルラジオ放送の受信電波の品質に応じて音声出力をそれぞれ前記デジタルラジオ放送に係るデジタルラジオ音声または前記アナログラジオ放送に係るアナログ音声へ音声出力を切り替えるラジオ放送受信装置において、
アナログラジオ音声の信号処理をラジオＤＳＰパラメータを用いて実施するラジオＤＳＰと、デジタルラジオ音声の信号処理をオーディオＤＳＰパラメータを用いて実施するオーディオＤＳＰと、前記デジタルラジオ放送の受信電波の品質に応じて切替信号を出力する制御部と、前記ラジオＤＳＰからの出力と前記オーディオＤＳＰからの出力とを切り替えるブレンド部とを備え、
前記切替信号に応じて、前記ブレンド部が前記ラジオＤＳＰからの出力と前記オーディオＤＳＰからの出力とを所定時間の間に徐々に切り替え、前記所定時間の間に前記オーディオＤＳＰの出力量を徐々に変化させることを特徴とするラジオ放送受信装置。
【請求項８】
前記オーディオＤＳＰは、前記所定時間の間に、前記ラジオＤＳＰパラメータに基づいて信号処理を実施して現在受信しているアナログラジオ音声の特性にデジタルラジオ音声の特性を近づけることを特徴とする請求項７記載のラジオ放送受信装置。
【請求項９】
前記オーディオＤＳＰが実施する信号処理の時間が前記所定時間の範囲内において任意に設定されることを特徴とする請求項８記載のラジオ放送受信装置。
【請求項１０】
前記音声出力を、前記デジタルラジオ音声から前記アナログ音声に切り替える場合、前記オーディオＤＳＰは、前記オーディオＤＳＰが前記切替信号を受信した後の前記所定時間の範囲内において時間の経過に伴って前記ラジオＤＳＰパラメータを徐々に有効にさせ、前記デジタル音声の出力量を徐々に下げることを特徴とする請求項９記載のラジオ放送受信装置。
【請求項１１】
前記音声出力を、前記アナログラジオ音声から前記デジタル音声に切り替える場合、前記オーディオＤＳＰは、前記オーディオＤＳＰが前記切替信号を受信した後に前記所定時間の範囲内において、即座に前記ラジオＤＳＰパラメータを適用させ、前記デジタル音声の出力量を徐々に上げることを特徴とする請求項９記載のラジオ放送受信装置。
【発明の詳細な説明】
【技術分野】
【０００１】
本発明は、ＩＢＯＣ（In-Band-On-Channel）等のサイマル放送を受信するラジオ放送受信装置において、デジタルラジオ放送及びアナログラジオ放送に係る音声信号を切替えて出力するラジオ放送受信装置に関するものである。
【背景技術】
【０００２】
従来、サイマル放送を受信するラジオ放送受信装置として、遅くともデジタルラジオ放送−アナログラジオ放送間のオーディオ切替の前までに、デジタルラジオ放送に係るオーディオ周波数特性を、オーディオイコライザを用いて、アナログラジオ放送に係るオーディオ周波数特性に整合させておくことにより、切替時では、オーディオ周波数特性の整合したデジタルラジオ放送−アナログラジオ放送間でオーディオ切替が行われるものが知られている（例えば特許文献１参照）。
【先行技術文献】
【特許文献】
【０００３】
【特許文献１】日本国特開２００６−１０９１２１号公報
【発明の概要】
【発明が解決しようとする課題】
【０００４】
しかしながら、近年のラジオ放送受信装置は、ＤＳＰ（Digital Signal Processor）を用いてアナログラジオ放送受信時にノイズを除去したりオーディオの音質を向上するために、様々な信号処理が実施されているため、上記従来のラジオ放送受信装置における制御のような、オーディオ周波数特性を一致させたり等しくさせたりする制御を、近年のラジオ受信装置に適用しても、デジタルラジオ放送-アナログラジオ放送間のオーディオ切替時に発生するオーディオ変化が軽減しきれず、ユーザに不快感を与えてしまうという問題があった。【０００５】
本発明は、従来の問題を解決するためになされたもので、現在受信しているアナログラジオ放送に適用しているパラメータ（ＤＳＰパラメータ）をデジタルラジオ放送のオーディオにも適用することで、デジタルラジオ放送-アナログラジオ放送間のオーディオ切替時の音質変化を除去することを目的とする。【０００６】
また、本発明は、上記従来の課題を解決するためになされたもので、デジタルラジオ放送とアナログラジオ放送とを切り替える際の音量差による違和感をいっそう低減することのできるラジオ放送受信装置を提供することを目的とする。
【課題を解決するための手段】
【０００７】
本発明のラジオ放送受信装置は、サイマル放送実施中のデジタルラジオ放送及びアナログラジオ放送に対し、前記デジタルラジオ放送の受信電波の品質に応じて音声出力をそれぞれ前記デジタルラジオ放送に係るデジタルラジオ音声または前記アナログラジオ放送に係るアナログ音声へ音声出力を切り替えるラジオ放送受信装置において、アナログラジオ音声の信号処理をラジオＤＳＰパラメータを用いて実施するラジオＤＳＰと、デジタルラジオ音声の信号処理をオーディオＤＳＰパラメータを用いて実施するオーディオＤＳＰと、前記デジタルラジオ放送の受信電波の品質に応じて切替信号を出力する制御部と、前記ラジオＤＳＰからの出力と前記オーディオＤＳＰからの出力とを切り替えるブレンド部とを備え、前記切替信号に応じて、前記ブレンド部が出力レベルを一定に保ちながら前記ラジオＤＳＰからの出力と前記オーディオＤＳＰからの出力とを所定時間の間に徐々に切り替える構成を有している。【０００８】
また、本発明のラジオ放送受信装置は、サイマル放送実施中のデジタルラジオ放送及びアナログラジオ放送に対し、前記デジタルラジオ放送の受信電波の品質に応じて音声出力をそれぞれ前記デジタルラジオ放送に係るデジタルラジオ音声または前記アナログラジオ放送に係るアナログ音声へ音声出力を切り替えるラジオ放送受信装置において、アナログラジオ音声の信号処理をラジオＤＳＰパラメータを用いて実施するラジオＤＳＰと、デジタルラジオ音声の信号処理をオーディオＤＳＰパラメータを用いて実施するオーディオＤＳＰと、前記デジタルラジオ放送の受信電波の品質に応じて切替信号を出力する制御部と、前記ラジオＤＳＰからの出力と前記オーディオＤＳＰからの出力とを切り替えるブレンド部とを備え、前記切替信号に応じて、前記ブレンド部が前記ラジオＤＳＰからの出力と前記オーディオＤＳＰからの出力とを所定時間の間に徐々に切り替え、前記所定時間の間に前記オーディオＤＳＰの出力量を徐々に変化させる構成を有している。
【発明の効果】
【０００９】
本発明によれば、アナログラジオ音声に適応しているラジオＤＳＰのパラメータを、オーディオＤＳＰにタイミングよく制御して入力することで、デジタルラジオ音声の特性（周波数特性、ステレオモノラル特性、セパレーション特性など）をアナログラジオ音声に近づけることができ、ユーザがラジオ放送受信装置の出力音声を違和感無く受聴することができるという効果を奏する。【００１０】
また、本発明によれば、デジタルラジオ音声の特性に応じて、デジタルラジオ音声の音量を調整することで、ラジオ放送受信装置の出力音声が、デジタルラジオ音声の特性（周波数特性、ステレオモノラル特性、セパレーション特性）をアナログラジオ音声の特性に近づけるだけのものよりも、いっそうユーザが違和感を感じることなく受聴することができるという効果を奏する。
【図面の簡単な説明】
【００１１】
【図１】本発明の実施の形態１におけるラジオ受信装置のブロック図
【図２】（ａ）本発明の実施の形態１におけるアナログ音声からデジタル音声への音声切替時のフローチャート（ｂ）本発明の実施の形態１におけるデジタル音声からアナログ音声への音声切替時のフローチャート
【図３】（ａ）本発明の実施の形態１におけるアナログ音声からデジタル音声への音声切替時の音圧レベルの遷移を示す図（ｂ）本発明の実施の形態１におけるデジタル音声からアナログ音声への音声切替時の音圧レベルの遷移を示す図
【図４】本発明の実施の形態２におけるラジオ受信装置のブロック図
【図５】（ａ）本発明の実施の形態２におけるアナログ音声からデジタル音声への音声切替時のフローチャート（ｂ）本発明の実施の形態２におけるデジタル音声からアナログ音声への音声切替時のフローチャート
【図６】（ａ）本発明の実施の形態２におけるアナログ音声からデジタル音声への音声切替時の音圧レベルの遷移を示す図（ｂ）本発明の実施の形態２におけるデジタル音声からアナログ音声への音声切替時の音圧レベルの遷移を示す図
【図７】アナログ音声からデジタル音声へ切替時の周波数特性の遷移を示す図
【図８】本発明の実施の形態２におけるアナログ音声からデジタル音声への音声切替時の音量差調整パラメータの遷移と、音圧レベルの遷移との関係を示す図
【図９】デジタル音声からアナログ音声へ切替時の周波数特性の遷移を示す図
【図１０】本発明の実施の形態２におけるデジタル音声からアナログ音声への音声切替時の音量差調整パラメータの遷移と、音圧レベルの遷移との関係を示す図
【発明を実施するための形態】
【００１２】
以下、本発明の実施の形態におけるラジオ放送受信装置について図面を参照しながら説明する。
【００１３】
図１は本発明の実施の形態１におけるラジオ放送受信装置のブロック図である。
【００１４】
図１において、ラジオ放送受信装置１１０は、ＩＢＯＣ等のサイマル放送を受信するラジオ放送受信装置放送波を受信するためのラジオ放送受信装置である。
【００１５】
ラジオ放送受信装置１１０は、アンテナ１０１に接続可能な構成であり、このアンテナ１０１にて受信した放送波のうち、アナログ放送の放送波に対して信号処理を施して所望のＩＦ信号に変換するアナログラジオ放送信号処理部１１９−１と、アンテナ１０１にて受信した放送波のうち、デジタル放送の放送波に対して信号処理を施して所望のＩＦ信号に変換するデジタルラジオ放送信号処理部１１９−２とを有した放送信号処理部１１９を有している。
【００１６】
さらに、ラジオ放送受信装置は、放送信号処理部１１９のアナログラジオ放送信号処理部１１９−１から出力されたＩＦ信号から、アナログラジオ放送を復調するアナログラジオ復調器１１１と、このアナログラジオ復調器１１１に接続されてアナログラジオ復調器１１１にて復調した信号に対して音質や音量などに関する信号処理を行うためのラジオＤＳＰ１１２とを備える。
【００１７】
同様に、ラジオ放送受信装置１１０は、放送信号処理部１１９のデジタルラジオ放送信号処理部１１９−２から出力されたＩＦ信号からデジタルラジオ放送を復調するデジタルラジオ復調器１１４と、このデジタルラジオ復調器１１４に接続されてデジタルラジオ復調器１１４にて復調した信号に対して音量や音質などに関する信号処理を行うためのオーディオＤＳＰ１１５とを備える。
【００１８】
そして、ラジオ放送受信装置１１０は、ラジオＤＳＰ１１２の出力信号であるアナログラジオ音声信号とオーディオＤＳＰ１１５の出力信号であるデジタルラジオ音声信号とを合成して、あるいは切り替えて（ブレンド処理を行って）後段へ出力する、ブレンド部１１３を有している。
【００１９】
さらに、ラジオ放送受信装置１１０は、アナログラジオ放送信号処理部１１９−１、デジタルラジオ放送信号処理部１１９−２およびブレンド部１１３に接続され、アナログラジオ音声信号とデジタルラジオ音声信号とを放送波の受信状況に応じて切り替える制御を行うためのアナログデジタル切替信号であるブレンド信号ＢＩを出力する制御部１１６を備える。
【００２０】
ここで、制御部１１６は、例えばＣＰＵ、ＲＯＭ及びＲＡＭを含む。ＣＰＵは、ＲＯＭに格納されたコンピュータプログラムを、ＲＡＭを作業領域として使いながら実行する。
【００２１】
ブレンド部１１３にて切り替えられて出力された音声信号は、図示しない増幅器などで増幅されて、スピーカ１１８などから音声として受聴者へ出力される。ただし、必ずしも増幅器などで増幅される必要はなく、また、スピーカ１１８の変わりにヘッドフォンなどが用いられても良い。
【００２２】
以上のように構成されたラジオ放送受信装置１１０について、以下にその処理動作を説明する。
【００２３】
ただし、本実施の形態において、ラジオ放送受信装置１１０にアンテナ１０１を介して放送波が入力されて、アナログラジオ放送信号処理部１１９−１およびデジタルラジオ放送信号処理部１１９−２が信号処理をしてＩＦ信号を出力するまでの処理動作は従来技術と同様であるため、その後段の処理について以下に説明する。
【００２４】
まず、本実施の形態におけるラジオ放送受信装置１１０の動作概要を説明する。
【００２５】
ラジオ放送受信装置１１０にアンテナ１０１を介して放送波が入力されて、アナログラジオ放送信号処理部１１９−１およびデジタルラジオ放送信号処理部１１９−２が信号処理をする過程で得られる受信した電波の品質（受信状況）を示す信号が制御部１１６に入力される。
【００２６】
ＩＢＯＣでは、デジタルラジオ放送とアナログラジオ放送とは多重化されて同一の搬送波により伝送される。デジタルラジオ放送の受信電波の品質は、受信電波の電界強度や、アナログラジオ放送に係るオーディオ信号のレベルや、受信電波のデジタルラジオ放送部分を復調して得られる信号のＣ／Ｎ又はＳ／Ｎ、さらに復調信号を復号して得られる信号のビットエラーレート等から検出できる。
【００２７】
制御部１１６は、現在の受信電波の品質を検出すると、検出した品質に応じてラジオ放送受信装置１１０の音声出力を切り替える。音声出力が切り替わる際は、制御部１１６がブレンド部１１３へブレンド信号ＢＩを出力する（たとえばＨｉｇｈからＬｏｗへ、あるいはＬｏｗからＨｉｇｈへ切り替える）ことでブレンド部１１３でスイッチ動作が行われ、デジタルラジオ音声出力とアナログ音声出力とが切り替わる。
【００２８】
制御部１１６が、アナログラジオ音声、デジタルラジオ音声を切り替えるケースは、例えば、受信状況が悪化した場合にデジタルラジオ音声は取得不可になるため、デジタルラジオ音声出力からアナログラジオ音声出力に切り替え、受信状況が良化した場合に、アナログラジオ音声出力からデジタルラジオ音声出力に切り替えるケースである。ただしこの場合、ブレンド部１１３は出力レベルを一定に保ちながら切り替え動作をおこなう。
【００２９】
次に、本実施の形態において、ラジオ放送受信装置１１０の音声出力をアナログラジオ音声出力からデジタルラジオ音声出力に切り替える際の処理動作およびデジタルラジオ音声出力からアナログラジオ音声出力に切り替える際の処理動作を以下に説明する。
【００３０】
制御部１１６がラジオ放送受信装置１１０の音声出力をアナログラジオ音声出力からデジタルラジオ音声出力に切り替える、あるいはデジタルラジオ音声出力からアナログラジオ音声出力に切り替える際に出力するブレンド信号ＢＩは、オーディオＤＳＰ１１５にも入力され、このブレンド信号ＢＩを用いることでラジオＤＳＰパラメータ１１７の適用タイミングが制御される。
【００３１】
たとえば、アナログラジオ音声出力からデジタル音声出力に切り替える場合、切替時は切替開始後即座にラジオＤＳＰパラメータ（ラジオＤＳＰが行う信号処理に用いられるパラメータ）をオーディオＤＳＰパラメータ（オーディオＤＳＰが行う信号処理に用いられるパラメータ）に適用させる。
【００３２】
これは、切替時のデジタル音声特性を、切替完了直前のアナログラジオ音声特性と同一にし、切替時の音声違和感を削減するためである。
【００３３】
さらに、切替時は即座にラジオＤＳＰのパラメータをオーディオＤＳＰのパラメータに適用させた後、時間が経過するに連れて、パラメータを無効にしていく。
【００３４】
これにより、徐々にデジタル音声本来の特性に近づいていき、アナログ音声からデジタル音声に違和感なく遷移させることが可能となる。
【００３５】
一方、デジタルラジオ音声出力からアナログ音声出力に切り替える場合、切替時に、切替開始直後はラジオＤＳＰパラメータを適用させず、時間が経過するにつれてパラメータを有効にさせる。
【００３６】
これにより、デジタル音声を徐々にアナログ音声特性に近づけていき、切替完了直前はアナログ音声特性と同一にすることで、切替時の音声違和感を削減することが可能となる。
【００３７】
ここで、ラジオＤＳＰパラメータ１１７はアナログラジオ音声に適用しているパラメータをデジタルラジオ音声に適用するために用いられる。ラジオＤＳＰパラメータ１１７がオーディオＤＳＰ１１５に入力されると、パラメータ値に応じて、デジタルラジオ音声の信号処理が実施される。
【００３８】
ここで、パラメータとは、オーディオＤＳＰ１１５に入力された音声信号の周波数特性などを、受信している放送波の電界強度の変化（受信状況）に対応して最適な値（受信音声のノイズ感を低減するため、電界強度に応じてあらかじめ計算されて設定された値のこと）になるように、オーディオＤＳＰ１１５にて音声信号を信号処理する際に用いられるパラメータであって、電界強度の増減に対応して音声のセパレーション値を増減させるためのパラメータ、電界強度の増減に対応して音声のミュート量を増減させるためのパラメータ、電界強度の増減に対応して、音声の周波数特性の低、高域を削減する、などのパラメータがある。
【００３９】
これらのパラメータはラジオＤＳＰ１１２の内部に設けられているメモリにデータテーブルとして格納されている。
【００４０】
以下に、本実施の形態におけるラジオ放送受信装置の動作処理フローをフローチャートを用いて、その詳細を説明する。図２は本発明の実施の形態におけるラジオ放送受信装置１１０における、音声切り替え処理時のフローチャートである。
【００４１】
本実施の形態において、ラジオ放送受信装置１１０の音声出力をアナログラジオ音声出力からデジタルラジオ音声出力に切り替える際には、上述したとおりブレンド信号ＢＩによって出力が切り替えられるが、以下の説明において、ブレンド信号ＢＩはＨｉｇｈ、Ｌｏｗの２値を表す電圧をとる信号とする。
【００４２】
以下の説明においては、一例として、ブレンド信号ＢＩがＬｏｗからＨｉｇｈへ切り替わった後にラジオ放送受信装置１１０がデジタル音声を出力し、ブレンド信号ＢＩがＨｉｇｈからＬｏｗへ切り替わった後にアナログ音声を出力する。
【００４３】
図２（ａ）に示すように、オーディオＤＳＰ１１５は、ブレンド信号ＢＩのＨｉｇｈ／Ｌｏｗの変化の有無を常時監視している（ステップＳ１０１）。
【００４４】
ステップＳ１０１にてブレンド信号ＢＩが変化したことが検出された際、ブレンド信号ＢＩがＬｏｗからＨｉｇｈへ切り替わったか否かをオーディオＤＳＰ１１５が判別する（ステップＳ１０２）。
【００４５】
ステップＳ１０２の判別結果がＮｏの場合、すなわち、ブレンド信号ＢＩはＬｏｗからＨｉｇｈへ切り替わっていないと判別された場合、オーディオＤＳＰ１１５の処理は後述する図２（ｂ）に示される処理フローにおけるステップＳ２０１の処理に移行する。
【００４６】
オーディオＤＳＰ１１５がＬｏｗからＨｉｇｈに変化したことを検出すると（ステップＳ１０２のＹｅｓ）、ブレンド部１１３がブレンド処理を実行し、ラジオ放送受信装置１１０の音声出力をアナログ音声からデジタル音声へ切り替える（ステップＳ１０３）。
【００４７】
このとき、ステップＳ１０３において切り替えられたデジタル音声にはラジオＤＰＳから入力されたパラメータ（ラジオＤＳＰパラメータ）がオーディオＤＳＰによって適用される（ステップＳ１０４）。
【００４８】
その後、ステップＳ１０４にて、オーディオＤＳＰによってラジオＤＳＰパラメータが適用されたデジタル音声は、音声出力としてラジオ放送受信装置１１０から出力される（ステップＳ１０５）。
【００４９】
オーディオＤＳＰ１１５が、ステップＳ１０４においてラジオＤＳＰパラメータをデジタル音声に適用させる際は、適用させるための所定時間（適用時間）として時定数τ１を持たせて処理している。
【００５０】
図２（ｂ）に示すように、オーディオＤＳＰ１１５は、ブレンド信号ＢＩのＨｉｇｈ／Ｌｏｗの変化の有無を常時監視している（ステップＳ２０１）。
【００５１】
ステップＳ２０１にてブレンド信号ＢＩが変化したことが検出された際、ブレンド信号ＢＩがＨｉｇｈからＬｏｗへ切り替わったか否かをオーディオＤＳＰ１１５が判別する（ステップ２０２）。
【００５２】
ステップＳ２０２の判別結果がＮｏの場合、すなわち、ブレンド信号ＢＩはＨｉｇｈからＬｏｗへ切り替わっていないと判別された場合、オーディオＤＳＰ１１５の処理は先述した図２（ａ）に示される処理フローにおけるステップＳ１０２の処理に移行する。
【００５３】
オーディオＤＳＰ１１５がＨｉｇｈからＬｏｗに変化したことを検出すると（ステップＳ２０２のＹｅｓ）、デジタル音声信号Ｉｄに対して、ラジオＤＳＰから入力されたパラメータ（ラジオＤＳＰパラメータ）がオーディオＤＳＰ１１５によって適用される（ステップＳ２０３）。
【００５４】
このとき、ステップＳ２０３において、デジタル音声信号Ｉｄに対するラジオＤＳＰパラメータの適用が完了すると、ラジオ放送受信装置１１０の音声出力をデジタル音声からアナログ音声へ切り替える（ステップＳ２０４）。
【００５５】
その後、ステップＳ２０４にて、アナログ音声は、音声出力としてラジオ放送受信装置１１０から出力される（ステップＳ２０５）。
【００５６】
オーディオＤＳＰ１１５が、ステップＳ２０４においてラジオＤＳＰパラメータをデジタル音声に適用させる際は、適用させるための所定時間（適用時間）として時定数τ４を持たせて処理している。
【００５７】
ここで、音声出力を切り替えてラジオＤＳＰパラメータをデジタル音声に適用する際の出力音声の変化について詳細を説明する。
【００５８】
図３（ａ）は実際の音声の切り替わりを示した図である（スピーカ１１８（図１参照）でモニタした波形である）。また、図中において、実線はアナログ音声Ｉａを、破線はデジタル音声Ｉｄを、一点鎖線は擬似アナログ音声（ラジオＤＳＰパラメータが適用されたデジタル音声）Ｉｄａをそれぞれ示している。
【００５９】
図３（ａ）に示す、時刻ｔ１以前は、アナログ音声Ｉａが再生されている状況を示す。時刻ｔ１でブレンド信号ＢＩがＬｏｗからＨｉｇｈに切り替わると、オーディオＤＳＰ１１５において出力音声をアナログ音声Ｉａから、デジタル音声Ｉｄに切り替える処理が開始される。
【００６０】
時刻ｔ１から時刻ｔ２までの期間は、時定数τ１で設定される期間であり、オーディオＤＳＰ１１５にて音声出力に対する処理が以下のように行われる。
【００６１】
すなわち、時刻ｔ１以後、アナログ音声Ｉａは徐々に音圧を下げデジタル音声Ｉｄは徐々に音圧を上げる。このとき、アナログ音声の音圧とデジタル音声の音圧との和は、時刻ｔ１以前のアナログ音声の音圧と等しくなるように各音声の音圧が制御される。
【００６２】
また、このときのデジタル音声は擬似アナログ音声Ｉｄａ（オーディオＤＳＰ１１５により、ラジオＤＳＰパラメータが適用された音声）である。
【００６３】
ただし、擬似アナログ音声Ｉｄａは、時刻ｔ１以後、ラジオＤＳＰパラメータが即座に適用され、さらに適用後徐々に適用されたラジオＤＳＰパラメータが解除されて、時刻ｔ２に到達する。
【００６４】
例えば、ｔ１から即座にデジタル音声ＩｄにラジオＤＳＰパラメータが適用されて、その後時刻ｔ２までの間に徐々にラジオＤＳＰパラメータの適用を解除するように制御される。そして、時刻ｔ２以後は、ラジオＤＳＰパラメータが完全に解除されたデジタル音声Ｉｄが時刻ｔ１以前と同じ音圧で出力される。
【００６５】
ただし、この擬似アナログ音声Ｉｄａの期間（時定数τで示される期間）は可変であり、ラジオＤＳＰパラメータを完全に適用した後、即座にラジオＤＳＰパラメータの適用を解除してデジタル音声Ｉｄに戻すことも、時間をかけて戻すことも可能である。
【００６６】
デジタル音声Ｉｄをすぐに聞きたいという要望には、即座にラジオＤＳＰパラメータの適用を解除することで対応が可能であるが、弱電界領域では、アナログ音声Ｉａとデジタル音声Ｉｄの切り替わりが頻繁に起きるため、切り替わり時の違和感が目立ってしまう。
【００６７】
そこで、切り替わり時の違和感を少なくしたい場合は、ラジオＤＳＰパラメータの適用を時間をかけて解除することとしている。これにより、アナログ音声Ｉａとデジタル音声Ｉｄの切り替わりの頻度を抑え、音声の違和感を軽減することが可能となる。
【００６８】
図３（ｂ）に示す、時刻ｔ３以前は、デジタル音声が再生されている状況を示す。時刻ｔ３でブレンド信号ＢＩがＨｉｇｈからＬｏｗに切り替わると、オーディオＤＳＰ１１５において出力音声をデジタル音声Ｉｄから、アナログ音声Ｉａに切り替える処理が開始される。
【００６９】
時刻ｔ３から時刻ｔ４までの期間は、時定数τ２で設定される期間であり、オーディオＤＳＰ１１５にて音声出力に対する処理が以下のように行われる。
【００７０】
すなわち、時刻ｔ３以後、デジタル音声は徐々にラジオＤＳＰパラメータを適用させ、アナログ音声Ｉａに近づける処理が行われる。
【００７１】
また、このときのデジタル音声は擬似アナログ音声Ｉｄａ（オーディオＤＳＰ１１５により、ラジオＤＳＰパラメータが適用された音声）である。
【００７２】
擬似アナログ音声Ｉｄａは、時刻ｔ３以後、ラジオＤＳＰパラメータ徐々に適用され、時刻ｔ４に到達した時点で、完全に適用される（ｔ４到達時点で、アナログ音声特性と同一になる）。
【００７３】
ｔ４に到達した時点で、デジタル音声（擬似アナログ音声）とアナログ音声の切替処理が完了し、アナログ音声Ｉａが出力される。
【００７４】
ただし、この擬似アナログ音声Ｉｄａの期間（時定数τ２で示される期間）は可変であり、ラジオＤＳＰパラメータを即座に適用してアナログ音声Ｉａに戻すことも、時間をかけて適用することも可能である。
【００７５】
アナログ音声Ｉａをすぐに聞きたいという要望には、即座にラジオＤＳＰパラメータの適用することで対応が可能であるが、弱電界領域では、アナログ音声とデジタル音声の切り替わりが頻繁に起きるため、切り替わり時の違和感が目立ってしまう。
【００７６】
そこで、切り替わり時の違和感を少なくしたい場合は、ラジオＤＳＰパラメータを時間をかけて適用することとしている。これにより、アナログ音声Ｉａとデジタル音声Ｉｄの切り替わりの頻度を抑え、音声の違和感を軽減することが可能となる。
【００７７】
以上のように本実施の形態によれば、ラジオＤＳＰパラメータを適用できるオーディオＤＳＰを備えることにより、デジタル音声にラジオＤＳＰパラメータを適用し、信号処理することができるため、デジタル音声を、現在出力しているアナログ音声と同等にすることができる。
【００７８】
また、ラジオＤＳＰパラメータをデジタル音声に適用する時間を可変にすることにより、時間をかけて、パラメータを有効、無効化するため、アナログ音声、デジタル音声切替時の音声違和感を低減することが可能となる。
【００７９】
また、弱電界領域では、アナログ音声とデジタル音声の切り替わりが頻繁に起きるため、切り替わり時の違和感が目立ってしまう。そのような環境下でも、ラジオＤＳＰパラメータの適用を時間をかけて解除することで、アナログ音声とデジタル音声の切り替わりの頻度を抑え、音声の違和感を軽減することが可能となる。
【００８０】
以下、本発明の実施の形態２におけるラジオ放送受信装置について図面を参照しながら説明する。ただし、本実施の形態において、実施の形態１と同様の構成については同一符号を付し、その詳細な説明は省略する。
【００８１】
図４は本発明の実施の形態２におけるラジオ放送受信装置のブロック図である。図４において、ラジオ放送受信装置３１０は、ＩＢＯＣ等のサイマル放送を受信するラジオ放送受信装置放送波を受信するためのラジオ放送受信装置である。
【００８２】
ラジオ放送受信装置３１０は、放送信号処理部１１９のアナログラジオ放送信号処理部１１９−１から出力されたＩＦ信号から、アナログラジオ放送を復調するアナログラジオ復調器１１１と、このアナログラジオ復調器１１１に接続されてアナログラジオ復調器１１１にて復調した信号に対して音質や音量などに関する信号処理を行うためのラジオＤＳＰ３１２とを備える。
【００８３】
同様に、ラジオ放送受信装置３１０は、放送信号処理部１１９のデジタルラジオ放送信号処理部１１９−２から出力されたＩＦ信号からデジタルラジオ放送を復調するデジタルラジオ復調器１１４と、このデジタルラジオ復調器１１４に接続されてデジタルラジオ復調器１１４にて復調した信号に対して音量や音質などに関する信号処理を行うためのオーディオＤＳＰ３１５とを備える。
【００８４】
そして、ラジオ放送受信装置３１０は、ラジオＤＳＰ３１２の出力信号であるアナログラジオ音声信号とオーディオＤＳＰ３１５の出力信号であるデジタルラジオ音声信号とを合成して、あるいは切り替えて（ブレンド処理を行って）後段へ出力する、ブレンド部３１３を有している。
【００８５】
以上のように構成されたラジオ放送受信装置３１０について、以下にその処理動作を説明する。
【００８６】
まず、本実施の形態におけるラジオ放送受信装置３１０の動作概要を説明する。
【００８７】
制御部１１６は、現在の受信電波の品質を検出すると、検出した品質に応じてラジオ放送受信装置３１０の音声出力を切り替える。
【００８８】
音声出力が切り替わる際は、制御部１１６がブレンド部３１３へブレンド信号ＢＩを出力する（たとえばＨｉｇｈからＬｏｗへ、あるいはＬｏｗからＨｉｇｈへ切り替える）ことでブレンド部３１３でスイッチ動作が行われ、デジタルラジオ音声出力とアナログ音声出力とが切り替わる。
【００８９】
制御部１１６が、アナログラジオ音声、デジタルラジオ音声を切り替えるケースは、実施の形態１にて説明したとおりである。
【００９０】
次に、本実施の形態において、ラジオ放送受信装置３１０の音声出力をアナログラジオ音声出力からデジタルラジオ音声出力に切り替える際の処理動作およびデジタルラジオ音声出力からアナログラジオ音声出力に切り替える際の処理動作を以下に説明する。
【００９１】
制御部１１６がラジオ放送受信装置３１０の音声出力をアナログラジオ音声出力からデジタルラジオ音声出力に切り替える、あるいはデジタルラジオ音声出力からアナログラジオ音声出力に切り替える際に出力するブレンド信号ＢＩは、オーディオＤＳＰ３１５にも入力され、このブレンド信号ＢＩを用いることでラジオＤＳＰパラメータ３１７の適用タイミングが制御される。
【００９２】
この点については実施の形態１と同様であるが、本実施の形態においては、パラメータを無効にしていくのと同時に、デジタル音声の音量値も徐々に下げていく（詳細後述）。これはパラメータを無効にしていくと、デジタル音声の周波数特性が広がり、音量が上がっていくように聞こえるため、音量整合を取るための処理である。
【００９３】
これにより、ユーザ（受聴者）がよりいっそう違和感を感じることなく、アナログ音声からデジタル音声へ遷移させることが可能となる。
【００９４】
一方、デジタルラジオ音声出力からアナログ音声出力に切り替える場合、切替時に、切替開始直後はラジオＤＳＰパラメータを適用させず、時間が経過するにつれてパラメータを有効にさせる。
【００９５】
これにより、デジタル音声を徐々にアナログ音声特性に近づけていき、切替完了直前はアナログ音声特性と同一にすることで、切替時の音声違和感を削減することが可能となる。
【００９６】
また、パラメータを有効にしていくのと同時に、デジタル音声の音量値も徐々に上げていく（詳細後述）。
【００９７】
これは、パラメータを有効にしていくと、デジタル音声の周波数特性が狭まり、音量が下がっていくように聞こえるため、音量整合を取るための処理である。
【００９８】
これにより、ユーザ（受聴者）がよりいっそう違和感を感じることなく、デジタル音声からアナログ音声へ遷移させることが可能となる。
【００９９】
ここで、ラジオＤＳＰパラメータ３１７はアナログラジオ音声に適用しているパラメータをデジタルラジオ音声に適用するために用いられる。ラジオＤＳＰパラメータ３１７がオーディオＤＳＰ３１５に入力されると、パラメータ値に応じて、デジタルラジオ音声の信号処理が実施される。
【０１００】
ここで、パラメータとは、オーディオＤＳＰ３１５に入力された音声信号の周波数特性などを、受信している放送波の電界強度の変化（受信状況）に対応して最適な値（受信音声のノイズ感を低減するため、電界強度に応じてあらかじめ計算されて設定された値のこと）になるように、オーディオＤＳＰ３１５にて音声信号を信号処理する際に用いられるパラメータであって、電界強度の増減に対応して音声のセパレーション値を増減させるためのパラメータ、電界強度の増減に対応して音声のミュート量を増減させるためのパラメータ、電界強度の増減に対応して、音声の周波数特性の低、高域を削減する、などのパラメータがある。
【０１０１】
また、本実施の形態においては、上記パラメータに加えて、デジタル音声−アナログ音声間の音量差を調整するパラメータを１つ追加する。このパラメータはラジオＤＳＰパラメータ３１７の値から、ラジオＤＳＰ３１２が計算するパラメータである。
【０１０２】
ラジオＤＳＰパラメータ３１７により、アナログ音声信号に対して、どのような信号処理が行われているかが分かるが、その処理内容に応じて、ラジオＤＳＰ３１２が音量差調整パラメータ値を決定する。
【０１０３】
例えば、ラジオＤＳＰパラメータ３１７より、音声の周波数特性の高域が削減されている場合、それをそのままオーディオＤＳＰ３１５に適用すると、適用した直後の音声の音量と、パラメータを無効にしていったときの音量とで、音量差が生じてしまう。
【０１０４】
音量差調整パラメータはこの音量差を軽減するため使用され、ラジオＤＳＰパラメータ３１７のパラメータ値より、削減される音量値をラジオＤＳＰにより計算し、削減された音量をオーディオＤＳＰ３１５にて増幅する。その後、パラメータを無効にしていくのと同時に、増幅された音量値を徐々に小さくしていく。
【０１０５】
上記の制御により、デジタル音声とアナログ音声との音量差を軽減することが可能となる。
【０１０６】
これらのパラメータはラジオＤＳＰ３１２の内部に設けられているメモリにデータテーブルとして格納されている。
【０１０７】
以下に、本実施の形態２におけるラジオ放送受信装置の動作処理フローをフローチャートを用いて、その詳細を説明する。図５は本発明の実施の形態２におけるラジオ放送受信装置３１０における、音声切り替え処理時のフローチャートである。
【０１０８】
本実施の形態において、ラジオ放送受信装置３１０の音声出力をアナログラジオ音声出力からデジタルラジオ音声出力に切り替える際には、上述したとおりブレンド信号ＢＩによって出力が切り替えられるが、以下の説明において、ブレンド信号ＢＩはＨｉｇｈ、Ｌｏｗの２値を表す電圧をとる信号とする。
【０１０９】
以下の説明においては、一例として、ブレンド信号ＢＩがＬｏｗからＨｉｇｈへ切り替わった後にラジオ放送受信装置３１０がデジタル音声を出力し、ブレンド信号ＢＩがＨｉｇｈからＬｏｗへ切り替わった後にアナログ音声を出力する。
【０１１０】
図５（ａ）に示すように、オーディオＤＳＰ３１５は、ブレンド信号ＢＩのＨｉｇｈ／Ｌｏｗの変化の有無を常時監視している（ステップＳ３０１）。
【０１１１】
ステップＳ３０１にてブレンド信号ＢＩが変化したことが検出された際、ブレンド信号ＢＩがＬｏｗからＨｉｇｈへ切り替わったか否かをオーディオＤＳＰ３１５が判別する（ステップＳ３０２）。
【０１１２】
ステップＳ３０２の判別結果がＮｏの場合、すなわち、ブレンド信号ＢＩはＬｏｗからＨｉｇｈへ切り替わっていないと判別された場合、オーディオＤＳＰ３１５の処理は後述する図５（ｂ）に示される処理フローにおけるステップＳ４０２の処理に移行する。
【０１１３】
オーディオＤＳＰ３１５がＬｏｗからＨｉｇｈに変化したことを検出すると（ステップＳ３０２のＹｅｓ）、ブレンド部３１３がブレンド処理を実行し、ラジオ放送受信装置３１０の音声出力をアナログ音声からデジタル音声へ切り替える（ステップＳ３０３）。
【０１１４】
このとき、ステップＳ３０３において切り替えられたデジタル音声にはラジオＤＰＳから入力されたパラメータ（ラジオＤＳＰパラメータ）がオーディオＤＳＰによって適用される（ステップＳ３０４）。
【０１１５】
その後、ステップＳ３０４にて、オーディオＤＳＰによってラジオＤＳＰパラメータが適用されたデジタル音声は、音声出力としてラジオ放送受信装置３１０から出力される（ステップＳ３０５）。
【０１１６】
オーディオＤＳＰ３１５が、ステップＳ３０４においてラジオＤＳＰパラメータをデジタル音声に適用させる際は、適用させるための所定時間（適用時間）として時定数τ３を持たせて処理している。
【０１１７】
図５（ｂ）に示すように、オーディオＤＳＰ３１５は、ブレンド信号ＢＩのＨｉｇｈ／Ｌｏｗの変化の有無を常時監視している（ステップＳ４０１）。
【０１１８】
ステップＳ４０１にてブレンド信号ＢＩが変化したことが検出された際、ブレンド信号ＢＩがＨｉｇｈからＬｏｗへ切り替わったか否かをオーディオＤＳＰ３１５が判別する（ステップＳ４０２）。
【０１１９】
ステップＳ４０２の判別結果がＮｏの場合、すなわち、ブレンド信号ＢＩはＨｉｇｈからＬｏｗへ切り替わっていないと判別された場合、オーディオＤＳＰ３１５の処理は先述した図５（ａ）に示される処理フローにおけるステップＳ３０２の処理に移行する。
【０１２０】
オーディオＤＳＰ３１５がＨｉｇｈからＬｏｗに変化したことを検出すると（ステップＳ４０２のＹｅｓ）、デジタル音声信号Ｉｄ１に対して、ラジオＤＳＰ３１７から入力されたパラメータ（ラジオＤＳＰパラメータ）がオーディオＤＳＰ３１５によって適用される（ステップＳ４０３）。
【０１２１】
このとき、ステップＳ４０３において、デジタル音声信号Ｉｄ１に対するラジオＤＳＰパラメータの適用が完了すると、ラジオ放送受信装置１１０の音声出力をデジタル音声からアナログ音声へ切り替える（ステップＳ４０４）。
【０１２２】
その後、ステップＳ４０４にて、アナログ音声は、音声出力としてラジオ放送受信装置３１０から出力される（ステップＳ４０５）。
【０１２３】
オーディオＤＳＰ３１５が、ステップＳ４０４においてラジオＤＳＰパラメータをデジタル音声に適用させる際は、適用させるための所定時間（適用時間）として時定数τ４を持たせて処理している。
【０１２４】
ここで、音声出力を切り替えてラジオＤＳＰパラメータをデジタル音声に適用する際の出力音声の変化について詳細を説明する。
【０１２５】
図６（ａ）は実際の音声の切り替わりを示した図である（スピーカ１１８（図４参照）でモニタした波形である）。また、図中において、実線はアナログ音声Ｉａ１を、破線はデジタル音声Ｉｄ１を、一点鎖線は擬似アナログ音声（ラジオＤＳＰパラメータが適用されたデジタル音声）Ｉｄａ１をそれぞれ示している。音声信号としては、１ｋＨｚトーンを使用している。
【０１２６】
図６（ａ）に示すとおり、時刻ｔ１以前は、アナログ音声Ｉａ１が再生されている。時刻ｔ１でブレンド信号ＢＩがＬｏｗからＨｉｇｈに切り替わると、オーディオＤＳＰ３１５において出力音声をアナログ音声Ｉａ１から、デジタル音声Ｉｄ１に切り替える処理が開始される。
【０１２７】
時刻ｔ１から時刻ｔ２までの期間は、時定数τ３で設定される期間であり、オーディオＤＳＰ３１５にて音声出力に対する処理が以下のように行われる。
【０１２８】
すなわち、時刻ｔ１から時刻ｔｘまでの間、アナログ音声Ｉａ１は徐々に音圧を下げデジタル音声Ｉｄ１は徐々に音圧を上げる。このとき、アナログ音声の音圧とデジタル音声の音圧との和は、時刻ｔ１以前のアナログ音声の音圧と等しくなるように各音声の音圧が制御される。
【０１２９】
また、このときのデジタル音声は擬似アナログ音声Ｉｄａ１（オーディオＤＳＰ３１５により、ラジオＤＳＰパラメータが適用された音声）である。
【０１３０】
ただし、擬似アナログ音声Ｉｄａ１は、時刻ｔ１以後、ラジオＤＳＰパラメータが即座に適用され、さらに適用後徐々に適用されたラジオＤＳＰパラメータが解除されて、時刻ｔ２に到達する。
【０１３１】
例えば、ｔ１から即座にデジタル音声Ｉｄ１にラジオＤＳＰパラメータが適用されて、その後時刻ｔ２までの間に徐々にラジオＤＳＰパラメータの適用を解除するように制御される。
【０１３２】
また同様に、ｔ１からデジタル音声ＩｄにラジオＤＳＰパラメータから計算された音量差調整パラメータも適用されて、その後の時刻ｔｘから時刻ｔ２までの間に徐々に音量差調整パラメータの適用を解除するように制御される。
【０１３３】
図７を用いて、以下に音量差調整パラメータが適用される際の詳細説明を行う。図７は時刻ｔ１から時刻ｔ２までの間の出力音声の周波数特性の変化を表した図である。
【０１３４】
図７において、時刻ｔ１における周波数特性を実線で示し、これをＦｔ１とする。また、時刻ｔ２における周波数特性が破線で示され、これをＦｔ２とする。
【０１３５】
さらに、時刻ｔｘから時刻ｔ２までの周波数特性の経時変化が一点鎖線で示される。すなわち、図面では周波数特性の時間的な変化が複数本の一点差線で表されている。
【０１３６】
図７に示すとおり、時刻ｔ１ではラジオＤＳＰパラメータが適用されているため、周波数特性Ｆｔ１は音声信号の低域、高域が削減されている。
【０１３７】
時刻ｔ１の後、時刻ｔｘからｔ２へ遷移する時は、ラジオＤＳＰパラメータが徐々に解除され削減される音圧量が低減していくので、スピーカ１１８から出力される音量は上がっていく。
【０１３８】
そして時刻ｔ２になるとラジオＤＳＰパラメータが無効になり、削減される周波数帯域はなくなるため音量は最も大きくなる。
【０１３９】
したがって、本実施の形態においては、音声切り替え処理開始の時刻ｔ１時に音量差調整パラメータを適用し、音量差調整パラメータに対応した増幅量で音量を増幅し、その後、時刻ｔｘからｔ２へ遷移する時間に、徐々に音量差調整パラメータを変更することによって音量増幅量を減らしていき、時刻ｔ２には音量を増幅しない（音量差調整パラメータを無効にする）という処理を行う。
【０１４０】
図８は、具体的に音量差調整パラメータによって増幅される信号の増幅量の時間変化を表したグラフを、その上側に示したものである。図８には、説明の理解を助けるために、図６（ａ）に示した音声切り替え処理時の音圧の変化を表す図をその下側に示されている。
【０１４１】
時刻ｔ１時に音量差調整パラメータを適用した後、時刻ｔｘからｔ２の間で徐々に増幅量を小さくしていき、時刻ｔ２には０にする。
【０１４２】
以上の制御を行うことで、ｔ１以降の各周波数の音圧が、時刻ｔ１以前と同じ音量になるように調整され、ｔ１以降も、ｔ１以前と同じ音量で出力される。
【０１４３】
ただし、この擬似アナログ音声Ｉｄａ１の期間（時定数τ３で示される期間）は可変であり、ラジオＤＳＰパラメータを完全に適用した後、即座にラジオＤＳＰパラメータの適用を解除してデジタル音声Ｉｄ１に戻すことも、時間をかけて戻すことも可能である。
【０１４４】
デジタル音声Ｉｄ１をすぐに聞きたいという要望には、即座にラジオＤＳＰパラメータの適用を解除することで対応が可能であるが、弱電界領域では、アナログ音声Ｉａ１とデジタル音声Ｉｄ１の切り替わりが頻繁に起きるため、切り替わり時の違和感が目立ってしまう。
【０１４５】
そこで、切り替わり時の違和感を少なくしたい場合は、ラジオＤＳＰパラメータの適用を時間をかけて解除することとしている。これにより、アナログ音声Ｉａ１とデジタル音声Ｉｄ１の切り替わりの頻度を抑え、音声の違和感を軽減することが可能となる。
【０１４６】
次に、オーディオＤＳＰ３１５において出力音声をデジタル音声Ｉｄ１から、アナログ音声Ｉａ１に切り替える処理が行われる際の詳細を説明する。
【０１４７】
図６（ｂ）は実際の音声の切り替わりを示した図である（スピーカ１１８（図４参照）でモニタした波形である）。また、図中において、実線はアナログ音声Ｉａを、破線はデジタル音声Ｉｄを、一点鎖線は擬似アナログ音声（ラジオＤＳＰパラメータが適用されたデジタル音声）Ｉｄａ１をそれぞれ示している。音声信号としては、１ｋＨｚトーンを使用している。
【０１４８】
図６（ｂ）に示すとおり、時刻ｔ３以前は、デジタル音声が再生されている。時刻ｔ３でブレンド信号ＢＩがＨｉｇｈからＬｏｗに切り替わると、オーディオＤＳＰ３１５において出力音声をデジタル音声Ｉｄ１から、アナログ音声Ｉａ１に切り替える処理が開始される。
【０１４９】
時刻ｔ３から時刻ｔ４までの期間は、時定数τ４で設定される期間であり、オーディオＤＳＰ３１５にて音声出力に対する処理が以下のように行われる。
【０１５０】
すなわち、時刻ｔ３以後、デジタル音声は徐々にラジオＤＳＰパラメータを適用させ、アナログ音声Ｉａ１に近づける処理が行われる。
【０１５１】
また、このときのデジタル音声は擬似アナログ音声Ｉｄａ（オーディオＤＳＰ３１５により、ラジオＤＳＰパラメータが適用された音声）である。
【０１５２】
擬似アナログ音声Ｉｄａ１は、時刻ｔ３以後、ラジオＤＳＰパラメータ徐々に適用され、時刻ｔ４に到達した時点で、完全に適用される（時刻ｔ４到達時点で、アナログ音声特性と同一になる）。
【０１５３】
また同様に、時刻ｔ３からデジタル音声Ｉｄ１にラジオＤＳＰパラメータから計算された音量差調整パラメータを適用し始め、その後、時刻ｔ４までの間に徐々に音量差調整パラメータの適用される制御が行われる。図９にて音量差調整パラメータが適用される詳細説明を行う。
【０１５４】
図９は時刻ｔ３から時刻ｔ４までの間の出力音声の周波数特性の変化を表した図である。
【０１５５】
図９において、時刻ｔ３における周波数特性を破線で示し、これをＦｔ３とする。また、時刻ｔ４における周波数特性が破線で示され、これをＦｔ４とする。
【０１５６】
さらに、時刻ｔ３から時刻ｔ４までの間の任意の時刻である時刻ｔｙから時刻ｔ４までの周波数特性の経時変化が一点鎖線で示される。すなわち、図面では周波数特性の時間的な変化が複数本の一点差線で表されている。
【０１５７】
図９に示すとおり、時刻ｔ３ではラジオＤＳＰパラメータが適用されていないため、音声の周波数帯域は削減されていない。
【０１５８】
時刻ｔ３から時刻ｔ４までの遷移時は、ラジオＤＳＰパラメータが徐々に適用され、削減される音圧量が増加していくので、音量が下がっていく。
【０１５９】
そして時刻ｔ４になるとラジオＤＳＰパラメータが完全に適用され、低域、高域が削減されるため、音量は最も小さくなる。
【０１６０】
よって、オーディオＤＳＰ１５は音量差調整パラメータを用いて、時刻ｔ３時は何もせず、時刻ｔ３から時刻ｔ４までの遷移間に、徐々に音量増幅量を増やしていき、時刻ｔｙには音量差調整パラメータを完全に適用するという処理を行う。
【０１６１】
図１０は具体的に音量差調整パラメータによって増幅される信号の増幅量の時間変化を表したグラフを、その上側に示したものである。図１０には、説明の理解を助けるために、図６（ｂ）に示した音声切り替え処理時の音圧の変化を表す図をその下側に示されている。
【０１６２】
時刻ｔ３に音量差調整パラメータを適用し始め、時刻ｔ３から時刻ｔｙまでの間で徐々に大きくしていき、時刻ｔｙには音量差調整パラメータ値をラジオＤＳＰパラメータから計算された値にする。
【０１６３】
そして、時刻ｔ４に到達した時点で、デジタル音声（擬似アナログ音声）とアナログ音声の切替処理が完了し、アナログ音声Ｉａ１が出力される。
【０１６４】
ただし、この擬似アナログ音声Ｉｄａ１の期間（時定数τ４で示される期間）は可変であり、ラジオＤＳＰパラメータを即座に適用してアナログ音声Ｉａ１に戻すことも、時間をかけて適用することも可能である。
【０１６５】
アナログ音声Ｉａ１をすぐに聞きたいという要望には、即座にラジオＤＳＰパラメータの適用することで対応が可能であるが、弱電界領域では、アナログ音声とデジタル音声の切り替わりが頻繁に起きるため、切り替わり時の違和感が目立ってしまう。
【０１６６】
そこで、切り替わり時の違和感を少なくしたい場合は、ラジオＤＳＰパラメータを時間をかけて適用することとしている。これにより、アナログ音声Ｉａ１とデジタル音声Ｉｄ１の切り替わりの頻度を抑え、音声の違和感を軽減することが可能となる。
【０１６７】
以上のように本実施の形態によれば、ラジオＤＳＰパラメータを適用できるオーディオＤＳＰを備えることにより、デジタル音声にラジオＤＳＰパラメータを適用し、信号処理することができるため、デジタル音声を、現在出力しているアナログ音声と同等にすることができる。
【０１６８】
また、ラジオＤＳＰパラメータをデジタル音声に適用する時間を可変にすることにより、時間をかけて、パラメータを有効、無効化するため、アナログ音声、デジタル音声切替時の音声違和感を低減することが可能となる。
【０１６９】
また、弱電界領域では、アナログ音声とデジタル音声の切り替わりが頻繁に起きるため、切り替わり時の違和感が目立ってしまう。そのような環境下でも、ラジオＤＳＰパラメータの適用を時間をかけて解除することで、アナログ音声とデジタル音声の切り替わりの頻度を抑え、音声の違和感を軽減することが可能となる。
【０１７０】
さらに、デジタルラジオ音声の特性に応じて、デジタルラジオ音声の音量を調整することで、ラジオ放送受信装置の出力音声が、デジタルラジオ音声の特性（周波数特性、ステレオモノラル特性、セパレーション特性）をアナログラジオ音声の特性に近づけるだけのものよりも、いっそうユーザが違和感を感じることなく受聴することができる。
【０１７１】
本発明を詳細にまた特定の実施態様を参照して説明したが、本発明の精神と範囲を逸脱することなく様々な変更や修正を加えることができることは当業者にとって明らかである。
【０１７２】
本出願は、２０１０年２月１９日出願の日本特許出願（特願２０１０−０３４４６５）、２０１０年１２月２４日出願の日本特許出願（特願２０１０−２８７３００）に基づくものであり、その内容はここに参照として取り込まれる。
【産業上の利用可能性】
【０１７３】
以上のように、本発明のラジオ放送受信装置は、ＩＢＯＣ（In-Band-On-Channel）等のサイマル放送を受信する際の、アナログ音声とデジタル音声との切り替え時に発生する音質違和感を軽減することができるという効果を有し、特に音声切り替えが頻繁に発生する車載用ラジオ放送受信装置として有用である。
【符号の説明】
【０１７４】
１０１          アンテナ
１１０、３１０  ラジオ放送受信装置
１１１          アナログラジオ復調器
１１２、３１２  ラジオＤＳＰ
１１３、３１３  ブレンド部
１１４          デジタルラジオ復調器
１１５、３１５  オーディオＤＳＰ
１１６          制御部
１１７、３１７  ラジオＤＳＰパラメータ
１１８          スピーカ
【図１】
2011102144.tif 000003
【図２】
2011102144.tif 000004
【図３】
2011102144.tif 000005
【図４】
2011102144.tif 000006
【図５】
2011102144.tif 000007
【図６】
2011102144.tif 000008
【図７】
2011102144.tif 000009
【図８】
2011102144.tif 000010
【図９】
2011102144.tif 000011
【図１０】
2011102144.tif 000012
【国際調査報告】
2011102144.tif 000013
2011102144.tif 000014